Podtech/llm-jp-corpus-v4-ja_patent huggingface dataset:
(57)【要約】【課題】ワイパーを取りのぞき別の物でわずらわしさを軽減してすっきりとする【解決手段】エアーワイパーで雨水、又は冬のフロントガラスの凍ったところを溶かす。【選択図】図４
0003128698.tif 000002
【実用新案登録請求の範囲】
【請求項１】
スピンドル
【請求項２】
スピンドルカバー
【請求項３】
ノズル
【請求項４】
全体の組合せ
【考案の詳細な説明】
【技術分野】
【０００１】雨や雪を吹き飛ばすものである
【背景技術】
【０００２】今までに、この用な物件はなかった
【考案の開示】
自動車の新しい時代に必要なもの
【考案が解決しようとする課題】
【０００３】新しい発想
【課題を解決するための手段】
【０００４】エアーワイパーの導入
【考案の効果】
【０００５】新しい発想への興味が期待できる
【実施例】
【０００６】なし
【図面の簡単な説明】
【図１】スピンドルのらせん状にエアーを吸引圧縮するメカニズム
【図２】スピンドルの中心を通ってモーターとの接続と排出部の形状を書いたもの
【図３】圧縮排出するノズルとゴムホースの接続そしてモーターと左右の中心軸とスピンドルとの接続部を表わしたもの
【図４】全体の状態とスピンドルの固定部品この装置の配置及び噴射の領域を表わしたもの
【符号の説明】
【０００７】１、スピンドルの中心軸
２、スピンドルがラセンを描いている状態を表わしたもの
３、スピンドルで圧縮したエアー出口と中心軸の受けとめる穴
４、中心軸とモーターの軸との接続のしかた
５、圧縮させたエアーの噴出口（ノズル）とゴムホースの差し込み方
６、スピンドルとノズルをつなぐゴムホース
７、スピンドルのカバー
８、スピンドルの固定止め金
９、ゴムホース、ヒータからのゴムホース
１０、スピンドルからノズルへのゴムホース
【図１】
0003128698.tif 000003
【図２】
0003128698.tif 000004
【図３】
0003128698.tif 000005
【図４】
0003128698.tif 000006
【手続補正書】
【提出日】平成18年5月29日(2006.5.29)
【手続補正１】
【補正対象書類名】実用新案登録請求の範囲
【補正の内容】
0003128698.tif 000007
0003128698.tif 000008
0003128698.tif 000009
0003128698.tif 000010
0003128698.tif 000011
0003128698.tif 000012
0003128698.tif 000013
【手続補正書】
【提出日】平成18年9月21日(2006.9.21)
【手続補正１】
【補正対象書類名】実用新案登録請求の範囲
【補正対象項目名】全文
【補正方法】変更
【補正の内容】
【実用新案登録請求の範囲】
【請求項１】
円錐ねじ型の風を起す圧縮機
(57)【要約】【課題】建築用表層材１の表面３に大谷石その他の天然岩石と同様の深い不定形凹部５を有する凹凸地肌模様を個人差なく簡単に再現した単層成型体及び多層成型体を作成する。【手段】砂、色土及び石灰などの結合材を含む成型組成物１００容量％と、合成樹脂発泡体でなる短径２ｍｍ〜長径１２ｍｍの不定形粉砕片１２〜５０容量％が混合されて所定形状に成型された板状成型体の表面３に、不定形発泡体粉砕片４による溶出凹部５を形成して天然風化岩石模様を表出する。【選択図】  図２
0003128695.tif 000002
【実用新案登録請求の範囲】
【請求項１】
砂、色土及び石灰などの結合材を含む成型組成物１００容量％と、合成樹脂発泡体でなる短径２ｍｍ〜長径１２ｍｍの不定形発泡体粉砕片１２〜５０容量％が混合された板状成型体の表面に前記不定形発泡体粉砕片による溶出凹部が形成されて天然風化岩石模様を表出してなる建築用表層材。
【請求項２】
成型体の裏面に石膏ボードその他の基板が一体的に接合されてなる請求項１記載の建築用表層材。
【請求項３】
成型体の裏面にセメント系その他の下地層を介して石膏ボードその他の基板が貼着されてなる請求項１記載の建築用表層材。
【請求項４】
合成樹脂発泡体がポリスチロール発泡体である請求項１乃至３記載のいずれかの建築用表層材。
【考案の詳細な説明】
【技術分野】
【０００１】
この考案は、建物内外壁の仕上げ用板状表層材に関する。
【背景技術】
【０００２】
建物外壁などに天然岩石地肌模様を表す目的で、石材を混合した左官仕上げ塗りや仕上げ面に文献１に示すような特殊用具によって擦過傷を付ける方法又は酸処理などが試みられているが、これらの手段では、作業者による個人差が現れる易い他、経年変化や風化によって生じる天然岩石模様を再現することは困難であった。
【０００３】
【特許文献１】特開平１１‐３２４３０３
【考案の開示】
【考案が解決しようとする課題】
【０００４】
本案は、従来法と異なる簡単な手段によって表面に天然岩石の凹凸模様を有する板状成型表層材を提供するものであって、成型表層材は用途に応じて単層から３層以上の多層体にとして提供できるものである。
【課題を解決するための手段】
【０００５】
本案単層表層材の構成は、砂、色土及び石灰などの結合材を含む成型組成物１００容量％と、合成樹脂発泡体でなる短径２ｍｍ〜長径１２ｍｍの不定形粉砕片１２〜５０容量％が混合されて所定形状に成型された板状成型体の表面に、前記不定形発泡体粉砕片による溶出凹部が形成されて天然風化岩石模様を表出してなるものであって、成型体表面に形成される不定形発泡体粉砕片の溶出凹部は、バーナーなどによる加熱溶融の他、シンナーその他の有機溶剤による溶解によって形成されるものである。
また、不定形発泡体の大きさ及び混合量は、想定する岩石表面模様に応じて実験的に決められる。  この単層表層材は、貼り付け用壁材として使用できることは勿論、この単層成型体を石膏ボード又は合板などの基板に張り合せ２層体としたり、更に上記単層成型体と基板の間にセメント系、プラスター系、樹脂系などによる下地層を挟んで３層構造体としることもできる。  多層表層材は、基板などの表面に板状成型体を形成して製作する。
【考案の効果】
【０００６】
本案によれば、従来法では得られなかった天然岩石地肌と深い不定形凹部が形成される。
即ち、土壁材と発泡体粉砕片の大きさ及び配合割合を適宜選定することによって大谷石その他種々な熔岩石の表面地肌模様を個人差なく簡単に再現できるのである。
更に、本案成型表層材は、多層表層板とすることもできるから建物外壁に限らず、室内又は廊下などの内壁材としても使用できる。
【考案を実施するための最良の形態】
【０００７】
図２は、成型表層材の一部拡大断面図であって、１は成型体、２は無機質骨材、色土及び結合材からなる成型組成物、３は表面、４は不定形の発泡体粉砕片、５は溶出凹部である。
（成型組成物）
成型組成物は、土（色土）、砂、石粉などの無機質骨材とセメント、消石灰、石膏、ドロマイトブラスター、合成樹脂エマルジョンなどの結合材を配合した通常の土壁材と同様のものであって結合材の添加量は、成型組成物と前記発泡体粉砕片との合計量100容量％に対して10〜50容量％の範囲とする。
成型組成物には、上記の他に軽量発泡骨材や増粘材、流動化剤など公知の添加物を配合できること勿論である。
【０００８】
（不定形発泡体粉砕片）
このものは、土や砂などの無機質骨材に対して溶解性骨材となるものであって、一般の有機溶剤に容易に溶解し、或いは加熱によって溶出又は揮散する合成樹脂の発泡体粉砕片が好適である。
具体的には、例えば発泡スチロールの包装材廃物を回転カッター又は粗目鋸歯による削り屑を分別して得た短径２ｍｍ〜長径１２ｍｍの雪片状の不定形粉砕片４であって図１に示すようなものである。
この発泡体粉砕片を混入した成型用混練物を型枠などに充填して常温又は加熱下で固化させ、その後、有機溶剤などによって発泡体粉砕片を溶解除去すると表面が岩石様の成型体１が得られる。
図３、図４は多層体としたもので、６は石膏ボード等の成型板又は合板でなる基板、７はセメント系、プラスター系などの下地層である。
【０００９】
（実施例）
下表のような割合で成型体混練物を作成した。
【００１０】
【表１】
0003128695.tif 000003
【００１１】
砂は、通常の左官用砂（ＪＡＳＳ１５）であって粒径2.5ｍｍ以下のもであり、結合材及び土は、0.088ｍｍ以下の微粒分である。
【００１２】
上記の配合物を15ｃｍ×15ｃｍ×2ｃｍの型枠に流し込み表面をコテ仕上げして24時間放置して板状成型体を得た。
表面を充分乾燥させ、表面にシンナーを吹きつけると表面の発泡体粉砕片は数秒で溶解して岩石表面のような凹凸を形成する。
【図面の簡単な説明】
【００１３】
【図１】合成樹脂発泡体の不定形粉砕片の拡大平面図
【図２】本案表層材の拡大断面斜視図
【図３】２層表層材の縦断断面図
【図４】３層表層材の縦断断面図
【符号の説明】
【００１４】
１  成型体
２  成型組成物
３  表面
４  発泡体粉砕片
５  溶出凹部
６  基板
７  下地層
【図１】
0003128695.tif 000004
【図２】
0003128695.tif 000005
【図３】
0003128695.tif 000006
【図４】
0003128695.tif 000007
(57)【要約】【課題】  視認性が良好なスケール部を有する定規を提供する。【解決手段】  定規本体の端縁部に形成されたスケール部には、単位寸法毎に透明着色部が形成されている。【選択図】図１
0003128620.tif 000002
【実用新案登録請求の範囲】
【請求項１】
定規本体の端縁部に形成されたスケール部には、単位寸法毎に透明着色部が形成されていることを特徴とする定規。
【請求項２】
上記単位寸法は、１ｃｍであって１ｃｍ置きに形成されていることを特徴とする請求項１記載の定規。
【請求項３】
上記定規は細長長方形状であって、幅方向両側端部にはスケール部が形成され、幅方向一端部のスケール部には上記透明着色部が形成されていると共に、幅方向他端部のスケール部には濃色着色部が形成されていることを特徴とする請求項２記載の定規。
【考案の詳細な説明】
【技術分野】
【０００１】
本考案は、定規に係り、特に、目盛り部に一定間隔ごとに透明な着色部が形成されている定規に関する。
【背景技術】
【０００２】
従来より、様々な定規が使用されているが、一般的には透明な無色の合成樹脂製であって、幅方向端部には目盛り部が形成されている。この目盛り部は、１ｍｍ単位で１ｃｍに毎に、無色の定規本体部に黒色のインク塗料を使用して目盛りを形成したものである。
【考案の開示】
【考案が解決しようとする課題】
【０００３】
しかしながら、このような従来の定規にあっては、定規本体が透明であることから定規が置かれた被測定部対象物は良好に視認できるが、目盛り部は、例えば、１５ｃｍ程度のスケール部には１ｍｍ及び１ｃｍ毎の目盛り線が連続して設けられていることから見にくく、視認性に欠ける、という不具合が存していた。
【０００４】
本件実用新案登録出願人は、本件に関連する従来技術文献を出願時点において認識していない。
【０００５】
そこで本考案の技術的課題は、視認性が良好なスケール部を有する定規を提供することにある。
【課題を解決するための手段】
【０００６】
上記課題を解決するために、請求項１記載の考案にあっては、定規本体の端縁部に形成されたスケール部には、単位寸法毎に透明着色部が形成されていることを特徴とする。
【０００７】
従って、単位寸法毎に透明着色部が形成されていることから、被計測物を計測する場合には、スケール部の単位寸法が確認しやすい。
【０００８】
また、請求項２記載の考案にあっては、上記単位寸法は１ｃｍであって１ｃｍ置きに形成されていることを特徴とする。
【０００９】
請求項３記載の考案にあっては、上記定規は細長長方形状であって、幅方向両側端部にはスケール部が形成され、幅方向一端部のスケール部には上記透明着色部が形成されていると共に、幅方向他端部のスケール部には濃色着色部が形成されていることを特徴とする。
【考案の効果】
【００１０】
従って、請求項１〜３記載の考案にあっては、定規により被計測物を計測する場合には、上記スケール部の単位寸法が視認しやすく、被計測物の計測を行いやすい。
また、透明着色部が形成されていることから、透明着色部を介して、定規が置かれた、例えば、紙面等を視認することができることから、定規として使用するに際し何ら不都合はない。
【００１１】
特に、請求項３記載の考案にあっては、定規の幅方向の両端部に形成されたスケール部の一方には濃色な着色部が形成されていると共に他方には透明着色部が形成されていることから、両者の間にコントラストがあり、使用しやすい。
【考案を実施するための最良の形態】
【００１２】
以下、図面を用いて本考案の実施の形態について説明する。
図１に示すように、本実施の形態に係る定規１０は、透明な合成樹脂製であって細長長方形状に形成されており、幅方向両側端部にはスケール部１１，１２が形成され、幅方向一端部のスケール部１１には上記透明着色部１３が形成されていると共に、幅方向他端部のスケール部１２には濃色着色部１４が形成されている。
【００１３】
上記スケール部１１は定規１０の幅方向寸法の略２/ ３の大きさに形成され、一般の定規のスケール部と同様に、１ｍｍ毎であって１ｃｍを単位に目盛りが描かれている。
【００１４】
上記目盛りの数字は、５ｃｍ置きに、濃いオレンジ色の大きな数字「０」「５」「１０」「１５」が描かれており、その間には通常の黒色の小さな数字「１」「２」「３」「４」，「６」「７」「８」「９」・・・が描かれている。
そして、上記透明着色部１３は、１ｃｍに亘って１ｃｍ置きに形成され、「０」〜「１」の間、「２」〜「３」の間、「４」〜「５」の間・・・のように、夫々の区域において上記目盛り上に着色して形成されている。
【００１５】
一方、上記スケール部１１の幅方向反体側部に形成されたスケール部１２は、１ｍｍ毎であって１ｃｍを単位に描かれた目盛りと、この目盛りに１ｃｍ毎に同一の大きさに描かれた数字とにより構成されている。上記目盛り及び数字を覆うように濃いブルーの着色が施され、上記目盛り及び数字は白抜きにより形成されている。
【００１６】
そして、上記スケール部１１とスケール部１２との間には上記濃色着色部１４と同一のブルーに着色された直線部１５が描かれている。
従って、本実施の形態に係る定規１０においては、一方のスケール部１１には透明着色部１３が形成されていることから、多くの数字が羅列されているが、羅列された数字に目が惑わされることなく、１ｃｍ毎の区画が明確に判断され、
計測対象物を計測する際に、対象物を図りやすい。
【００１７】
また、透明着色部１３は、薄い着色が施されているのみであることから、透明着色部１３を透過して定規１０を通して定規１０が置かれた物を視認することができるため、定規としての使用を何ら妨げることはない。
【産業上の利用可能性】
【００１８】
本考案は、広く定規に適用することができる。
【図面の簡単な説明】
【００１９】
【図１】本考案に係る定規の一実施の形態を示す平面図である。
【符号の説明】
【００２０】
１０  定規
１１  スケール部
１２  スケール部
１３  透明着色部
１４  濃色着色部
１５  直線部
【図１】
0003128620.tif 000003
(57)【要約】  【課題】石けんの泡立ちを良くでき、肌を傷めることなく効果的に肌の老廃物を取ることができるボディ洗い用タオルを提供する。  【解決手段】ボディ洗い用タオルは、絹縮緬から成る表面筒部２と、該表面筒部２の半周部３の内側に絹縮緬に対向して配置された綿から成るクッション部４と、該クッション部４に対向して配置されたガーゼから成る補強シート部５と、該補強シート部５に対面して配置された細かい網目を有するネット部６とを備えている。クッション部４と補強シート部５とネット部６は表面筒部２の半周部３に縫着され、該半周部３は多層構造となっている。【選択図】図１
0003128611.tif 000002
【実用新案登録請求の範囲】
【請求項１】
絹から成る表面筒部２と、該表面筒部２の半周部３の内側に前記絹に対向して配置された綿から成るクッション部４と、該クッション部４に対向して配置されたガーゼから成る補強シート部５と、該補強シート部５に対面して配置された細かい網目を有するネット部６とを備え、前記クッション部４と補強シート部５とネット部６とを前記表面筒部２の半周部３に縫着し、該半周部３を多層構造としたことを特徴とするボディ洗い用タオル。
【請求項２】
絹縮緬から成る表面筒部２と、該表面筒部２の半周部３の内側に前記絹縮緬に対向して配置された綿から成るクッション部４と、該クッション部４に対向して配置されたガーゼから成る補強シート部５と、該補強シート部５に対面して配置された細かい網目を有するネット部６とを備え、前記クッション部４と補強シート部５とネット部６とを前記表面筒部２の半周部３に縫着し、該半周部３を多層構造としたことを特徴とするボディ洗い用タオル。
【請求項３】
前記ネット６をナイロンにより構成したことを特徴とする請求項１又は請求項２に記載のボディ洗い用タオル。
【考案の詳細な説明】
【技術分野】
【０００１】
本考案は、入浴等の時に使用するボディ洗い用タオルに関する。
【背景技術】
【０００２】
絹から成る表布と木綿からなる裏布とを積層した複合布地を素材として使用したタオルが従来知られている（例えば特許文献１参照）。  
【特許文献１】実開平７−３６８８５号公報
【考案の開示】
【考案が解決しようとする課題】
【０００３】
従来の洗顔用タオルは、石けんの泡が良く出る工夫がなされていない。特に、洗顔用タオルに絹や木綿を用いたものは、石けんを泡立てるのに適していないという問題点があった。
【課題を解決するための手段】
【０００４】
上記目的を達成するため本考案は、絹から成る表面筒部２と、該表面筒部２の半周部３の内側に前記絹に対向して配置された綿から成るクッション部４と、該クッション部４に対向して配置されたガーゼから成る補強シート部５と、該補強シート部５に対面して配置された細かい網目を有するネット部６とを備え、前記クッション部４と補強シート部５とネット部６とを前記表面筒部２の半周部３に縫着し、該半周部３を多層構造としたことを特徴とする。
また本考案は、絹縮緬から成る表面筒部２と、該表面筒部２の半周部３の内側に前記絹縮緬に対向して配置された綿から成るクッション部４と、該クッション部４に対向して配置されたガーゼから成る補強シート部５と、該補強シート部５に対面して配置された細かい網目を有するネット部６とを備え、前記クッション部４と補強シート部５とネット部６とを前記表面筒部２の半周部３に縫着し、該半周部３を多層構造としたことを特徴とする。
また本考案は、前記ネット６をナイロンにより構成したことを特徴とする。
【考案の効果】
【０００５】
本考案は、ナイロンネットによって石けんの泡立ちを良くすることができるので、絹特に絹縮緬で効果的に肌の老廃物を取り去ることができ、しかも、ガーゼによってクッション部の綿が保護されるので、綿の寿命を長くすることができる。
【考案を実施するための最良の形態】
【０００６】
以下に本考案の実施の形態を添付した図面を参照して詳細に説明する。
図１は本考案に係るボディ洗い用タオルの全体正面図を示している。細長長尺状のタオル本体１は筒状に形成され、本実施形態では、長手方向の全長が略９０ｃｍ、円周が略１６〜１８ｃｍに構成されている。
【０００７】
前記タオル本体１は、表面筒部２と、この表面筒部２の半周部３の内側に接して該半周部３の内側の長手方向全長に亘って配置されたクッション部４と、該クッション部４に接して、前記半周部３の長手方向全長に亘って配置された補強シート部５と、該補強シート部５に接して、前記半周部３の長手方向全長に亘って配置されたネット部６とから成り、前記クッション部４、補強シート部５、ネット部６は互いに重なった状態で前記表面筒部２の半周部３の内側に縫着されている。
【０００８】
前記タオル本体１の表面筒部２は、絹縮緬により構成されている。この表面筒部２は絹縮緬の他に他の羽二重などの絹の生地により構成しても良いが、ボデイ洗いには絹縮緬が最も適している。前記クッション部４は、綿により構成され、前記補強シート部５は、ガーゼにより構成され、前記ネット部６は、細かい網目が形成されたナイロンによりそれぞれ構成されている。
【０００９】
前記表面筒部２は、絹縮緬から成るシート体の両側縁７，８が図３に示すように重ねられ、この部分が長手方向に伸びる縁部材９とともに縫着され、全体として筒状体を構成している。表面筒部２の半周部３に重ねて配置されたクッション部４、補強シート部５、ネット部６は、それぞれ、表面筒部２の長手方向両端に縫着された縁部材１０ａ，１０ｂに縫着されるとともに、図１中、点線で示す縫製ライン１１，１２に沿って、前記表面筒部２の半周部３に縫着されている。前記表面筒部２の内部にはネット部６と表面筒部２の他の半周部１３とで囲まれた、タオル本体１の長手方向の全長に伸びる空間部１４が形成されている。
【００１０】
上記した構成において、ネット部６は、その網目の作用により、入浴時において、他のタオル素材に比し、石けんの泡立ちを良くする効果がある。また、絹縮緬からなる表面筒部２で石けんの泡を取るように肌をこすると、肌の角質や老廃物が無理なく取れる。またクッション部４は、表面筒部２で肌をこするとき、力が入って強くこすれることがないように、表面筒部２の、肌との接触圧をやわらげ、肌を保護する役目をする。
【００１１】
また、補強シート部５は、ネット部６とクッション部４との間に位置することによって、タオル使用時、ネット部６とクッション部４とが互いにこすれて、クッション部４が摩耗するのを防止し、クッション部４の寿命を向上させる役目を持っている。
【図面の簡単な説明】
【００１２】
【図１】本考案にかかるボディ洗い用タオルを示す正面図である。
【図２】ボディ洗い用タオルの右側面図である。
【図３】Ａ−Ａ線断面図である。
【符号の説明】
【００１３】
１      タオル本体
２      表面筒部
３      半周部
４      クッション部
５      補強シート部
６      ネット部
７      側縁
８      側縁
９      縁部材
１０ａ  縁部材
１０ｂ  縁部材
１１    縫製ライン
１２    縫製ライン
１３    半周部
１４    空間部
【図１】
0003128611.tif 000003
【図２】
0003128611.tif 000004
【図３】
0003128611.tif 000005
(57)【要約】【課題】本考案はパソコンの鍵盤やマウス操作がわずらわしい人に，パソコンディスプレイの前面に設置した扉の開け閉めで表示を次々にかえて，映像や音声情報を提供する。【解決手段】本考案はパソコンのディスプレイの前面に画面を覆う扉２を設ける。その扉２を閉めるとマグネット２ａがマグネットスイッチ４ａに接近し回路に導通がある。左右のマグネットスイッチは直列つなぎのため完全に扉を閉めると回路は接続されたことになり，開けると回路は切断される。この回路をパソコンのマウスの左クリックのスイッチ等に並列に接続していると，扉の開閉がマウスの左クリックを押したことになり，画像を次々にかえることができる。このことで前述の鍵盤やマウスの難しさを解決している。プレゼンテーションソフト，パワーポイントなどを立ち上げてデジタルカメラで撮った写真などを並べて教材として学習者に提供する。【選択図】図１
0003128658.tif 000002
【実用新案登録請求の範囲】
【請求項１】
パソコンのディスプレイの前面に画面を覆う扉を設け，該当扉の開閉を感知するスイッチを設置し，そのスイッチ回線をパソコンのマウスの左クリック等に接続したパソコンのディスプレイ 
【考案の詳細な説明】
【技術分野】
【０００１】
本考案は，パソコンのディスプレイの前に付けた扉の開閉で画像を切り替える装置である。
【背景技術】
【０００２】
パソコンを使用する者が幼い子どもや不慣れな者の場合，鍵盤やマウスのクリック操作は難しい。
【考案の開示】
【考案が解決しようとする課題】
【０００３】
幼い子どもや知的障害者などにとってパソコンの鍵盤やマウスの操作は難しいので敬遠されている。簡単な方法でパソコンを操作し，それらの人が自分のペースで視覚情報や音声情報を受け取れる方法はないものだろうか。
【課題を解決するための手段】
【０００４】
パソコンのディスプレイの前面に画面を覆う扉を設け，該当扉の開閉を感知するスイッチを設置し，そのスイッチ回線をパソコンのマウスの左クリック等に接続することにより，扉の開閉で画像を次々にかえることができる。このことで前述の鍵盤やマウスの難しさを解決している。
【考案の効果】
【０００５】
パソコンのディスプレイとその前に付けたドアーとの組み合わせは，操作方法が分かりやすく理解されやすい。開け閉めする動作で画像が切り替わり，問題を提示したり，答えを表示したりするので学習者の知的好奇心を満たし主体的活動を引き出すことができる。また，本人が映像を切り替えたことでモチベーションが上がり教育効果が出やすい。
【考案を実施するための最良の形態】
【０００６】
パソコンのディスプレイやモニター画面の前面に左右に開閉するスライドドアーを取り付ける。閉めると画面が見えなくなり，開けると画面が見えるようにする。さらにその左右のドアーにマグネットを取り付ける。ドアーを閉めた時に磁界が及ぶ場所に左右２個マグネットスイッチを取り付け，その２個のマグネットスイッチを直列つなぎにする。このことで，ドアーを閉めたら回路は接続された事になり，開けると回路は切断される。この回路をパソコンのマウスの左クリックのスイッチ等に並列に接続する。するとスライドドアーの開閉がマウスの左クリックを押したことになり，画像を切り替えることができる。プレゼンテーションソフト，パワーポイントなどを立ち上げて使用する。
【実施例】
【０００７】
以下，添付図面に従って一実施例を説明する。１はパソコンの液晶パネル，２は，左右の扉で開閉自在である。その扉を支えているのが，３のスライドレールである。４は，そのスライドレールを固定するためにディスプレイを取り囲んでいる枠である。５は扉を開け閉めするための取っ手である。
【０００８】
扉を閉めるとマグネット２ａは，マグネットスイッチ４ａに接近し回路が接続される。左右２個扉が閉められると直列繋ぎのスイッチ回路は導通があることになる。この回線をパソコンのマウスの左クリックのスイッチ６ａに並列に繋いでおくことにより，左クリックを押したことになり，プレゼンテーションソフト，パワーポイントなどの画像を切り替えることができる。
【０００９】
本考案の一実施例は上述の如き構成からなるものであるから，扉の開け閉めで，画像を切り替え，学習者に問題の提起やその回答，絵や写真の提供，音声やＢＧＭまでも流すことができる。さらに，マウスへの回路をコネクター等で切断すると，スライドドアーは，閉めた時は，ディスプレイ画面の埃よけ，開けたら文書を見ながら入力する時の文書掲示用に使えるなどの利用価値もある。
【図面の簡単な説明】
【００１０】
【図１】本考案のパソコンのディスプレイ，スライドドアーを開けた正面図である。
【図２】本考案のディスプレイ，スライドドアーの一部切欠断面図である。
【図３】回路図とパソコンマウスへの接続概略図である。
【符号の説明】
【００１１】
１  液晶パネル
２  扉
３  スライドレール
４  ディスプレイを取り囲んでいる枠
５  取っ手
６  マウス
２ａ  マグネット
４ａ  マグネットスイッチ
６ａ  左クリックのスイッチ部分
【図１】
0003128658.tif 000003
【図２】
0003128658.tif 000004
【図３】
0003128658.tif 000005
(57)【要約】  【課題】石けんの泡立ちを良くでき、効果的に肌の老廃物を取ることができる洗顔用タオルを提供する。  【解決手段】洗顔用タオルはその表面部３と裏面部４とが開放部５を残して袋状に縫着され、手に嵌めることができる構成となっている。表面部３は外側から羽二重６、綿７、ガーゼ８の順で三層構造を構成し、裏面部４は細かい網目を有するナイロン製のネット９により構成されている。タオルを使用するときは、タオルを手に嵌めて表面部３を顔や首に当てて使用する。【選択図】図１
0003128610.tif 000002
【実用新案登録請求の範囲】
【請求項１】
表面部３と裏面部４とが開放部５を残して袋状に縫着され、手に嵌めることができる洗顔用タオルであって、前記表面部３を外側から絹、綿７、ガーゼ８の順で三層構造とし、裏面部４を細かい網目を有するナイロン製のネット９により構成したことを特徴とする洗顔用タオル。
【請求項２】
表面部３と裏面部４とが開放部５を残して袋状に縫着され、手に嵌めることができる洗顔用タオルであって、前記表面部３を外側から羽二重６、綿７、ガーゼ８の順で三層構造とし、裏面部４を細かい網目を有するナイロン製のネット９により構成したことを特徴とする洗顔用タオル。
【請求項３】
前記ネット９を複数枚重ねた構成としたことを特徴とする請求項１又は請求項２に記載の洗顔用タオル。
【考案の詳細な説明】
【技術分野】
【０００１】
本考案は、洗顔用タオルに関する。
【背景技術】
【０００２】
絹から成る表布と木綿からなる裏布とを積層した複合布地を素材として使用したタオルが従来知られている（例えば特許文献１参照）。  
【特許文献１】実開平７−３６８８５号公報
【考案の開示】
【考案が解決しようとする課題】
【０００３】
従来の洗顔用タオルは、石けんの泡が良く出る工夫がなされていない。特に、洗顔用タオルに絹や木綿を用いたものは、石けんを泡立てるのに適していないという問題点があった。
【課題を解決するための手段】
【０００４】
上記目的を達成するため本考案は、表面部３と裏面部４とが開放部５を残して袋状に縫着され、手に嵌めることができる洗顔用タオルであって、前記表面部３を外側から絹、綿７、ガーゼ８の順で三層構造とし、裏面部４を細かい網目を有するナイロン製のネット９により構成したことを特徴とする。
また本考案は、表面部３と裏面部４とが開放部５を残して袋状に縫着され、手に嵌めることができる洗顔用タオルであって、前記表面部３を外側から羽二重６、綿７、ガーゼ８の順で三層構造とし、裏面部４を細かい網目を有するナイロン製のネット９により構成したことを特徴とする。
また本考案は、前記ネット９を複数枚重ねた構成としたことを特徴とする。
【考案の効果】
【０００５】
本考案は、ナイロンネットによって石けんの泡立ちを良くすることができるので、絹特に羽二重で効果的に肌の老廃物を取り去ることができ、しかも、ガーゼによって綿が保護されるので、綿の寿命を長くすることができる。また、全体形状を袋状としたので、これを手に嵌めることで扱い易い等の効果がある。
【考案を実施するための最良の形態】
【０００６】
以下に本考案の実施の形態を添付した図面を参照して詳細に説明する。
図１は本考案に係る洗顔用タオルの使用状態を示している。袋状のタオル本体１は、図１に示すように、手に嵌めて、顔や首の部分を石けんで洗うときに使用する。
【０００７】
タオル本体１は、表面部３とこれに縫着によって接合された裏面部４と、開口部５とから構成されている。前記表面部３は、三層構造を有し、一番上の表面層が絹である羽二重６により構成されている。羽二重６の下には、綿７が配置され、この綿７の下にガーゼ８が配置され、これらは互いに縫着により接合されている。
【０００８】
前記羽二重６は他の絹縮緬その他の絹の生地を使用することができるが、最も洗顔効果のあがるのは羽二重であり、羽二重６を使用するのが望ましい。前記表面部３に接合する裏面部４は、ナイロン製の細かい網目を有するネット９により構成され、該ネット９は、１枚又は複数枚重ねて使用される。本実施形態では、ネット９は４枚重ねを採用し、これにより石けんの泡立ち効果を高めている。
【０００９】
上記した構成において、顔や首を洗うとき、肌を石けんで泡立てたいときは、タオル本体１の開口部５からタオル本体１を、そのネット９が手の平側となるように嵌めて、ネット９で石けんを泡立てる。このネット９は、他のタオル素材に比し、石けんの泡立ちを良くする効果がある。石けんで泡立てた肌の手入れをするときは、タオル本体１の羽二重６を手の平側となるようにする。
【００１０】
羽二重６で、肌の泡を取るようにこすると、肌の角質や老廃物が無理なく取れる。また、このとき、綿７は、手に力が入っても羽二重６が強く肌に当たらないように、クッションの役目をし、羽二重６が肌に柔らかく当たって肌を保護する。ガーゼ８は綿７の摩耗を保護する役目を持っている。
【図面の簡単な説明】
【００１１】
【図１】本考案にかかる洗顔用タオルの使用状態を示す外観説明図である。
【図２】洗顔用タオルの断面図である。
【符号の説明】
【００１２】
１      タオル本体
２      手
３      表面部
４      裏面部
５      開口部
６      羽二重
７      綿
８      ガーゼ
９      ネット
【図１】
0003128610.tif 000003
【図２】
0003128610.tif 000004
(57)【要約】  【課題】家庭で簡単に薬草煎じ蒸気浴を楽しむことができるようにする。  【解決手段】移動可能なボックス本体１は、顔を外に出すための開口部７が上部壁６に設けられ、内部には人が出入りするためのドア３を有している。ボックス本体１の内部には腰掛け部１０が設けられている。ドア３を閉めるとボックス本体１の内部に略密閉されたスペースが形成される。ボックス本体１の内部には加熱ヒータ１３と、薬草の入った薬草煎じ用の鍋１５が配置されている。【選択図】図１
0003128608.tif 000002
【実用新案登録請求の範囲】
【請求項１】
顔を外に出すための開口部７が上部壁６に設けられ内部に人が出入りするためのドア３有し内部に腰掛け部１０が設けられ前記ドア３を閉めると内部に略密閉されたスペースが形成される移動可能なボックス本体１と、前記ボックス本体１の内部の底部に配置された加熱ヒータ１３と、前記加熱ヒータ１３上に配置された薬草の入った煎じ用の鍋１５とから成る簡易薬草煎じ蒸気浴装置。
【請求項２】
顔を外に出すための開口部７が上部壁６に設けられ内部に人が出入りするためのドア３を有し内部に腰掛け部１０が設けられ前記ドア３を閉めると内部に略密閉されたスペースが形成され、前記腰掛け部１０に蒸気を臀部に当てるための通気孔１１が形成された移動可能なボックス本体１と、前記腰掛け部１０の下方に位置して前記ボックス本体１の内部の底部に配置された加熱ヒータ１３と、前記加熱ヒータ１３上に配置された薬草の入った煎じ用の鍋１５とから成る簡易薬草煎じ蒸気浴装置。
【考案の詳細な説明】
【技術分野】
【０００１】
本考案は、自宅等に簡単に移動可能に配置でき、ボックス内の略密閉されたスペース内で薬草を煎じたときに発生する蒸気を浴びることができるようにした簡易薬草煎じ蒸気浴装置に関する。
【背景技術】
【０００２】
汗がしっかり出て体の代謝を高め、余分な老廃物を体から出してくれるものとして、サウナや岩盤浴が知られている。また、サウナや岩盤浴を家庭で楽しめる装置も知られている（例えば特許文献１参照）。  
【特許文献１】特開２００４−４１９４９号公報
【考案の開示】
【考案が解決しようとする課題】
【０００３】
体を温め、血液の流れを良くする薬草浴を提供する施設が近時出現し、その効果が注目されている。
本考案は、家庭で簡単に薬草煎じ蒸気浴を楽しめる簡易薬草煎じ蒸気浴装置を提供いることを目的とする。
【課題を解決するための手段】
【０００４】
上記目的を達成するため本考案は、顔を外に出すための開口部７が上部壁６に設けられ内部に人が出入りするためのドア３有し内部に腰掛け部１０が設けられ前記ドア３を閉めると内部に略密閉されたスペースが形成される移動可能なボックス本体１と、前記ボックス本体１の内部の底部に配置された加熱ヒータ１３と、前記加熱ヒータ１３上に配置された薬草の入った煎じ用の鍋１５とから成ることを特徴とする。
また本考案は、顔を外に出すための開口部７が上部壁６に設けられ内部に人が出入りするためのドア３を有し内部に腰掛け部１０が設けられ前記ドア３を閉めると内部に略密閉されたスペースが形成され、前記腰掛け部１０に蒸気を臀部に当てるための通気孔１１が形成された移動可能なボックス本体１と、前記腰掛け部１０の下方に位置して前記ボックス本体１の内部の底部に配置された加熱ヒータ１３と、前記加熱ヒータ１３上に配置された薬草の入った煎じ用の鍋１５とから成ることを特徴とする。
【考案の効果】
【０００５】
本考案は、家庭で簡単に薬草煎じ蒸気浴を楽しむことができる。
【考案を実施するための最良の形態】
【０００６】
以下に本考案の実施の形態を添付した図面を参照して詳細に説明する。
図１は、蒸気浴用ボックス本体１の中に身体部分を入れ、ボックス本体１から顔を出した状態で、薬草１６を煎じ、鍋１５から発生する蒸気を身体に浴びている状態を示している。ボックス本体１は、移動可能な大きさに構成され、傾斜した正面壁２に開閉ドア３を有し、このドア３を開けて、ボックス本体１の内部に入れる構成となっている。
【０００７】
ドア３は、ヒンジ４，５によってボックス本体１の正面壁２の出入り口に枢支されている。ボックス本体１の上部壁６には、顔出し用の開口部７が形成され、該開口部７は蓋１７によって閉じることができるように成っている。前記ボックス本体１の後部壁９には、腰掛部１０が一体的に形成され、該腰掛部１０には、蒸気を通し、該腰掛部１０に座っている人の臀部に直接蒸気を当てることができるように、通孔１１が形成されている。
【０００８】
前記ボックス本体１の底壁部１２の内壁面上には、電磁誘導加熱ヒータ１３が前記腰掛部１０の下方に位置して配置されている。前記加熱ヒータ１３の電線は、ボックス本体１の下方に固設されたコンセント１４にプラグを介して連結し、加熱ヒータ１３のオンオフ及び温度調節は、ボックス本体１の側壁部の内壁面に固設した操作盤（図示省略）によって、ボックス本体１の内部で操作できるように構成されている。
【０００９】
上記した構成において、加熱ヒータ１３に鍋１５を載せ、鍋１５に水とともに薬草１６を入れ、加熱ヒータ１３をオンとして、ボックス本体１内で薬草１６を煎じる。鍋１５から薬草の成分を含む蒸気が出たところで、ドア３を開け、人がボックス本体１内に入り、開口部７から図１に示すように、顔を出した状態で腰掛部１０に腰掛け、ドア３を閉める。ボックス本体１内は、略密閉状態となり、内部が、薬草１６を煎じるときに出る蒸気で充満する。
【００１０】
この蒸気はボックス本体１内の人の体を温め、血行を良くする。また、薬草の効能によって、肌をなめらかにしたり、ダイエット効果やその他種々の好ましい影響を体に及ぼす。また、薬草を煎じたときに出る薬草の香りで気持ちも落ち着き、癒しの効果も生じる。煎じる薬草としては、よもぎ、ショウガ、金銀花、どくだみ、にんじん、オレンジピール、当帰、蘇葉、セージ、桂皮、タイソウ、ローズマリー、山椒、オレガノ、薄荷、紅花、スターアニス等が用いられる。
【図面の簡単な説明】
【００１１】
【図１】本考案にかかる簡易薬草煎じ蒸気浴装置の側面説明図である。
【図２】簡易薬草煎じ蒸気浴装置の正面図である。
【図３】簡易薬草煎じ蒸気浴装置の平面図である。
【符号の説明】
【００１２】
１      ボックス本体
２      正面壁
３      開閉ドア
４      ヒンジ
５      ヒンジ
６      上部壁
７      開口部
９      後部壁
１０    腰掛部
１１    通孔
１２    底部壁
１３    加熱ヒータ
１４    コンセント
１５    鍋
１６    薬草
１７    蓋
【図１】
0003128608.tif 000003
【図２】
0003128608.tif 000004
【図３】
0003128608.tif 000005
(57)【要約】  【課題】家庭で簡単に薬草煎じ蒸気浴を楽しむことができるようにする。  【解決手段】椅子２と、該椅子２の下に配置される加熱ヒータ３と、薬草５と、該薬草５を入れて煎じるための鍋４と、使用者の首から下を被うことができ下方が開放され内側に前記椅子２を配置できるスペースを有するようにしたマント１とから成り、使用者が前記マント１を被り前記椅子に座るとマント１を被った人の周囲に密閉空間が形成されるように構成されている。【選択図】図１
0003128609.tif 000002
【実用新案登録請求の範囲】
【請求項１】
椅子２と、該椅子２の下に配置される加熱ヒータ３と、薬草５と、該薬草５を入れて煎じるための鍋４と、使用者の首から下を被うことができ下方が開放され内側に前記椅子２を配置できるスペースを有するようにしたマント１とから成り、使用者が前記マント１を被り前記椅子２に座るとマント１を被った人の周囲に密閉空間が形成されるようにしたことを特徴とする薬草煎じ蒸気浴セット。
【請求項２】
前記マント１は、外側がナイロンで形成され、内側が綿で形成された二重のシートで構成されていることを特徴とする請求項１に記載の薬草煎じ蒸気浴セット。
【請求項３】
前記椅子２の腰掛部１１に、蒸気を通し使用者の臀部に蒸気が当たるようにするための穴１２を設けたことを特徴とする請求項１に記載の薬草煎じ蒸気浴セット。
【考案の詳細な説明】
【技術分野】
【０００１】
本考案は、簡単に自宅等で薬草煎じ蒸気浴を楽しめる薬草煎じ蒸気浴セットに関する。
【背景技術】
【０００２】
汗がしっかり出て体の代謝を高め、余分な老廃物を体から出してくれるものとして、サウナや岩盤浴が知られている。また、サウナや岩盤浴を家庭で楽しめる装置も知られている（例えば特許文献１参照）。  
【特許文献１】特開２００４−４１９４９号公報
【考案の開示】
【考案が解決しようとする課題】
【０００３】
体を温め、血液の流れを良くする薬草浴を提供する施設が近時出現し、その効果が注目されている。
本考案は、家庭で簡単に薬草煎じ蒸気浴を楽しめる薬草煎じ蒸気浴セットを提供することを目的とする。
【課題を解決するための手段】
【０００４】
上記目的を達成するため本考案は、椅子２と、該椅子２の下に配置される加熱ヒータ３と、薬草５と、該薬草５を入れて煎じるための鍋４と、使用者の首から下を被うことができ下方が開放され内側に前記椅子２を配置できるスペースを有するようにしたマント１とから成り、使用者が前記マント１を被り前記椅子２に座るとマント１を被った人の周囲に密閉空間が形成されるようにしたことを特徴とする。
また本考案は、前記マント１は、外側がナイロンで形成され、内側が綿で形成された二重のシートで構成されていることを特徴とする。
また本考案は、前記椅子２の腰掛部１１に、蒸気を通し使用者の臀部に蒸気が当たるようにするための穴１２を設けたことを特徴とする。
【考案の効果】
【０００５】
本考案は、家庭で簡単に薬草煎じ蒸気浴を楽しむことができる。
【考案を実施するための最良の形態】
【０００６】
以下に本考案の実施の形態を添付した図面を参照して詳細に説明する。
図１は、本考案に係る薬草煎じ蒸気浴セットの使用状態を示している。本セットは、マント１と、椅子２と、電磁誘導加熱ヒータ３と、鍋４と、鍋４に入れる薬草５とで構成される。
【０００７】
マント１には、頭部出入口６と、手出入口７，８が形成され、これらの出入口６，７，８は、伸縮可能に構成され、マント１をはおり、頭部を図１に示すように、頭部出入口６から出した状態において、該頭部出入口６は縮まり、首に軽く密着して、蒸気が頭部出入口６から逃げないように構成されている。
【０００８】
手出入口７，８も同様に、ここに腕を通し手をマント１の外部に出した状態のとき、手出入口７，８の周囲は腕に密着し、蒸気が、これら出入口７，８から逃げないようになっている。手出入口７，８から腕を抜いたときも、出入口７，８は縮まり、閉じた状態となって、ここから蒸気が逃げないようになっている。
【０００９】
前記マント１は、柔軟性のあるシート状部材から成り、図４に示すように、外側がナイロン等の合成樹脂シート９で構成され、内側が綿１０で構成され、互いに縫着されている。なお、マント１は、図示する、周囲が閉じられた末広がりの筒形の構成に特に限定されるものではなく、ボタンやファスナーで開閉できる開閉部を縦方向に有する構成その他を採用することができる。
【００１０】
前記椅子２の腰掛け部１１には、蒸気を通し、これに腰掛けた人の臀部に蒸気が当たるようにするための、穴１２が形成されている。椅子２の脚部は前方が開放された板張りのの構成となっており、該脚部の下部には、空気の出入りのための通気孔１４が水平方向に複数形成されている。
【００１１】
上記した構成において、加熱ヒータ３に鍋４を載せ、鍋４に水とともに薬草５を入れ、鍋４を椅子２の下に配置する。加熱ヒータ３をオンとして、椅子２の下で薬草５を煎じると鍋４から薬草の成分を含む蒸気が出る。一方、使用者はマント１を頭部出入口６から被り、この頭部出入口６から顔を外に出す。使用者はマント１を被ったまま椅子４に腰掛け、椅子４をマント１で被う。この状態において、マント１のすそは床面に接触し、マント１内は略密閉状態となる。このマント１の内部は、薬草を煎じるときに出る蒸気で充満する。
【００１２】
この蒸気はマント１内の人の体を温め、血行を良くする。また、薬草の効能によって、肌をなめらかにしたり、ダイエット効果やその他種々の好ましい影響を体に及ぼす。また、薬草を煎じたときに出る薬草の香りで気持ちも落ち着き、癒しの効果も生じる。煎じる薬草としては、よもぎ、ショウガ、金銀花、どくだみ、にんじん、オレンジピール、当帰、蘇葉、セージ、桂皮、タイソウ、ローズマリー、山椒、オレガノ、薄荷、紅花、スターアニス等が用いられる。
【図面の簡単な説明】
【００１３】
【図１】本考案にかかる薬草煎じ蒸気浴セットの使用状態を示す断面説明図である。
【図２】薬草煎じ蒸気浴セットの使用状態を示す説明図である。
【図３】椅子の外観図である。
【図４】マントのＡ−Ａ線断面図である。
【符号の説明】
【００１４】
１      マント
２      椅子
３      加熱ヒータ
４      鍋
５      薬草
６      頭部出入口
７      手出入口
８      手出入口
９      合成樹脂シート
１０    綿
１１    腰掛部
１２    穴
１３    脚部
１４    通気孔
【図１】
0003128609.tif 000003
【図２】
0003128609.tif 000004
【図３】
0003128609.tif 000005
【図４】
0003128609.tif 000006
(57)【要約】【課題】首に掛けてもスッキリした美的センスを発揮でき、首からズリ落ちることがなく、コンパクトであっても、いわゆるロングマフラーを巻いたようなシルエットを演出できるマフラーを提供する。【解決手段】帯状のマフラー本体１を有し、マフラー本体１の一端部に、他端部を通す孔２が形成されている。マフラー本体１が、幅が１０〜２０cm、長さが８０〜120cmである。マフラー本体の一端部の孔に他端部を通すと輪になるので、長さの短い、いわゆるミニマフラーであっても、首からズリ落ちることがない。また、マフラー本体の一端を胸の前に垂らし、他端を肩から背中に向けて垂らせば、ロングマフラーのようなシルエットを演出できる。【選択図】図１
0003128831.tif 000002
【実用新案登録請求の範囲】
【請求項１】
帯状のマフラー本体を有し、該マフラー本体の一端部に、他端部を通す孔が形成されている
ことを特徴とするマフラー。
【請求項２】
前記マフラー本体が、幅が１０〜２０cm、長さが８０〜120cmである
ことを特徴とする請求項１記載のマフラー。
【考案の詳細な説明】
【技術分野】
【０００１】
本考案は、マフラーに関する。さらに詳しくは、防寒や吸汗のために人の首に巻いて使用するマフラーに関する。
【背景技術】
【０００２】
従来マフラーとして使用されているものは、防寒用がほとんどである。これらの冬用マフラーは、長さが長く幅も広幅のものが多い。一般的には、長さが130cm、幅が３０cm位であり、これより長いものは、いわゆるロングマフラーとなる。さらに、厚さの厚い、いわゆるぼってり感のあるものもある（非特許文献１）。
このような冬用は、寒冷期に首に巻いて使用するときは温かく強いが、さほど寒くないときに首から外すと、嵩張るので持ち運びに不便であったり、首に軽く掛けておくとズリ落ちてしまう等の不具合がある。
【０００３】
一方、夏用のマフラーという発想はこれまで存在しない。労働者がタオルを首に掛けたり巻いたりする風習は存在するが、デザインセンスは全くないやぼったいだけのものである。
【０００４】
【非特許文献１】商品大辞典  東洋経済新報社刊  1216頁
【考案の開示】
【考案が解決しようとする課題】
【０００５】
本考案は上記事情に鑑み、首に掛けてもスッキリした美的センスを発揮でき、首からズリ落ちることがなく、コンパクトであっても、いわゆるロングマフラーを巻いたようなシルエットを演出できるマフラーを提供することを目的とする。
【課題を解決するための手段】
【０００６】
第１考案のマフラーは、帯状のマフラー本体を有し、該マフラー本体の一端部に、他端部を通す孔が形成されていることを特徴とする。
第２考案のマフラーは、第１発明において、前記マフラー本体が、幅が１０〜２０cm、長さが８０〜120cmであることを特徴とする。
【考案の効果】
【０００７】
第１考案によれば、マフラー本体の一端部の孔に他端部を通すと輪になるので、長さの短い、いわゆるミニマフラーであっても、首からズリ落ちることがない。また、マフラー本体の一端を胸の前に垂らし、他端を肩から背中に向けて垂らせば、ロングマフラーのようなシルエットを演出できる。
第２考案によれば、長さも幅もコンパクトな、いわゆるミニマフラーとなる。したがって、首に掛けたときスッキリ感を演出でき、首から外したときの持ち運びにも嵩張らないので便利である。そして、このようなミニマフラーであっても、マフラー本体の他端を一端部の孔に通すことによって首からズリ落ちないようにできる。
【考案を実施するための最良の形態】
【０００８】
つぎに、本考案の実施形態を図面に基づき説明する。
図１は本考案の一実施形態に係るマフラーの平面図である。
本考案のマフラーＭは、いわゆるミニマフラーであって、通常のマフラーやロングマフラーに比べると、その寸法が短いものである。すなわち、その長さは、８０〜120cm、幅が１０〜２０cm位である。このようなミニマフラーであると、スリムでコンパクトなデザインとなるが、これらより大きいサイズも本考案に含まれる。
【０００９】
本考案の特徴は、マフラー本体１の一端部１ａに孔２が形成されており、その孔２にマフラー本体１の他端部１ｂを通せることにある。
両端縁を房状に仕上げるか、房を付けないかは任意である。
【００１０】
本考案のマフラーが冬用である場合は、防寒に適した素材、例えば、ウールやアクリル繊維を用いて、編み上げればよい。
夏用である場合は、吸汗性に適した素材、例えば、タオル地などを用いて縫製すればよい。
【００１１】
つぎに、本考案のマフラーの使用方法を説明する。
図２に示す使用例は、マフラーＭを首に巻き、一端部１ａの孔２に他端部１ｂを通したものである。マフラー本体１は胸の前でＸ字状に交差する。
この使用法の場合、長さの短いミニマフラーであってもマフラーが首からズリ落ちることはない。また、幅が狭いミニマフラーであるので、シルエットがスッキリしており、防寒期以外の時期に広範に使用することができる。
【００１２】
図３に示す使用例は、孔２にマフラー本体１の他端部１ｂを通す点は、図２の使用例と同じであるが、相違点は孔２の部分を肩の辺りに持ち上げ、マフラーＭの一端部１ａを前に垂らし、他端部１ｂを肩を越えて後に垂らしたことである。
この使用法の場合、ロングマフラーを首に巻いたシルエットに似せることができる。
【００１３】
本考案のマフラーＭは、以上のように、スッキリしたコンパクトな装着も可能であり、ロングマフラーのような高い防寒性を持たせる使用方法も可能である。
しかも、マフラー自体は、長さも幅も小さいミニマフラーであるから首に巻かないで持ち運ぶときにも嵩張ることがないので便利である。
【図面の簡単な説明】
【００１４】
【図１】本考案の一実施形態に係るマフラーの平面図である。
【図２】本考案のマフラーの使用方法の一例を示す説明図である。
【図３】本考案のマフラーの使用方法の他の例を示す説明図である。
【符号の説明】
【００１５】
Ｍ  マフラー
１  マフラー本体
２  孔
【図１】
0003128831.tif 000003
【図２】
0003128831.tif 000004
【図３】
0003128831.tif 000005